(57)【要約】【課題】撮像素子における画像読取範囲を小さくすることによって、撮像素子から出力されるデータについてのデータ処理時間を短くする。【解決手段】オートフィルムマスクの通過孔形成ブロック１４０には、フィルムの画像エリアに対応する主通過孔１４１と、画像情報エリアに対応する副通過孔１４２とが形成されている。副通過孔１４２内には、プリズム１５０が配置されている。フィルムの画像情報エリアを透過した後で副通過孔１４２を通過した光は、プリズム１５０内を通過することによって、その光路が変更される。その結果、ＣＣＤラインセンサ１２２ａ〜１２２ｃ上における画像情報エリアを透過した光が結像される領域が、画像エリアを透過した光が結像される領域に近づく方向にずれる。【選択図】        図８
2004242163.tif 000002
【特許請求の範囲】
【請求項１】
画像が表示された画像エリアと画像情報が表示された画像情報エリアとが離隔して配置された画像表示媒体に対して光を照射する光源と、
複数の光電変換部を含む撮像素子と、
前記画像エリアにおいて透過または反射した光を受光する前記撮像素子上の領域及び前記画像情報エリアにおいて透過または反射した光を受光する前記撮像素子上の領域の少なくともいずれか一方を他方に近づく方向にずらすための光学部材とを備えていることを特徴とするスキャナ。
【請求項２】
前記光学部材は、前記画像エリアにおいて透過または反射した光を受光する前記撮像素子上の領域と前記画像情報エリアにおいて透過または反射した光を受光する前記撮像素子上の領域との間に隙間が形成されないように、前記画像エリアにおいて透過または反射した光を受光する前記撮像素子上の領域及ぴ前記画像情報エリアにおいて透過または反射した光を受光する前記撮像素子上の領域の少なくともいずれか一方を他方に近づく方向にずらすことを特徴とする請求項１に記載のスキャナ。
【請求項３】
画像表示媒体において透過または反射した光を前記撮像素子上に結像するための結像光学素子をさらに備えていることを特徴とする請求項１または２に記載のスキャナ。
【請求項４】
前記光学部材が、屈折光学素子であることを特徴とする請求項１〜３のいずれか１項に記載のスキャナ。
【請求項５】
前記屈折光学素子が、前記画像情報エリアにおいて透過または反射した光を受光する前記撮像素子上の領域を、前記画像エリアにおいて透過または反射した光を受光する前記撮像素子上の領域に近づく方向にずらすことを特徴とする請求項４に記載のスキャナ。
【請求項６】
前記光学部材が、結像光学素子であることを特徴とする請求項１〜３のいずれか１項に記載のスキャナ。
【請求項７】
画像表示媒体が、透光性を有し且つ開口エリアが設けられたものであって、
前記開口エリアにおいて透過した光の強度を低下させるための減光部材または遮光部材をさらに備えていることを特徴とする請求項１〜６のいずれか１項に記載のスキャナ。
【請求項８】
フィルムスキャナであることを特徴とする請求項１〜７のいずれか１項に記載のスキャナ。
【発明の詳細な説明】
【０００１】
【発明の属する技術分野】
本発明は、画像表示媒体に表示された画像を読み取るスキャナに関する。
【０００２】
【従来の技術】
フィルムに表示された画像を印画紙に焼き付ける写真処理装置には、投影露光式のものの他に、フィルム上の画像をＣＣＤラインセンサ等の撮像素子により光電的に読取り、光電変換することで得られるデジタル画像データに適当な画像処理を施して得られるプリントデータに基づいて印画紙を露光する方式、いわゆるデジタル露光式のものが知られている。かかるデジタル露光式の写真処理装置には、フィルムに表示された画像を読み取るフィルムスキャナと、フィルムスキャナで読み取られた画像データに基づいて印画紙を露光する露光装置と、露光済みの印画紙に対して現像処理などの処理を施す現像処理部とが備えられているのが一般的である。
【０００３】
かかるフィルムスキャナは、フィルムに光を照射する光源と、フィルムを搬送するフィルムキャリアと、フィルムを透過した光を光電変換する多数の画素（ピクセル）を含むＣＣＤラインセンサと、フィルムを透過した光をＣＣＤラインセンサ上に結像するレンズユニットとを有していることが多い。かかるフィルムキャリアには、光源から出射された光がＣＣＤラインセンサに向かって通過できるように、フィルムの搬送方向に直交する方向に延びるスリット孔が形成されている。従って、光源から出射される光は、フィルムを透過すると共にスリット孔を通過した後で、レンズユニットによってＣＣＤラインセンサ上において結像される（例えば、特許文献１、２参照）。
【０００４】
ここで、フィルムの幅方向中央部には画像が表示された画像エリアが設けられており、その幅方向両側にはフィルム搬送用のパーフォレーションが設けられていることが多い。そして、フィルムの幅方向両端部近傍であってパーフォレーションよりも外側の領域には、例えばコマ情報、フィルム情報などを示すバーコード等のＤＸコードが表示された画像情報エリアが設けられていることがある。この場合には、フィルム上の画像エリアの画像が読み取られる際に、画像情報エリアのＤＸコードも併せて読み取られるのが好ましい。従って、フィルムキャリアのスリット孔は、フィルムの画像エリア、パーフォレーションおよび画像情報エリアに跨る長さを有している。なお、かかるフィルムスキャナでは、パーフォレーションを通過した光が直接ＣＣＤラインセンサに到達しないように、パーフォレーションを通過した光の光路内に減光フィルタが配置されている。
【０００５】
ＣＣＤラインセンサにおいてフィルムの画像データおよびＤＸコードの両方を読み取るためには、ＣＣＤラインセンサでの画像読取範囲を少なくともフィルムの画像エリア、パーフォレーションおよび画像情報エリアをそれぞれ透過した光が結像される領域の総和よりも大きくしなければならない。そして、かかるフィルムスキャナでは、フィルムの画像エリア、パーフォレーションおよび画像情報エリアをそれぞれ透過した光は、レンズユニットによってＣＣＤラインセンサの画像読取範囲内に配置された画素上に結像される。その後、各画素上に結像された光に対応する電気信号が各画素から出力されることに基づいて、フィルム上の画像およびＤＸコードの両方がデジタルデータとして読み取られる。
【０００６】
ここで、フィルムの画像エリア、パーフォレーションおよび画像情報エリアをそれぞれ透過した光は、ＣＣＤラインセンサの画像読取範囲内に配置された画素上において互いに隣り合う領域に結像される。従って、ＣＣＤラインセンサにおける画像エリアを透過した光が結像される領域と画像情報エリアを透過した光が結像される領域との間には、パーフォレーションを通過した光が結像される領域が配置される。
【０００７】
【特許文献１】
特開平１１−１１２７１１号公報（図３）
【特許文献２】
特開平９−２３８２１８号公報（図２８）
【０００８】
【発明が解決しようとする課題】
この場合には、画像エリアを透過した光を受光する画素と画像情報エリアを透過した光を受光する画素との間には、パーフォレーションを通過した光を受光する不必要な画素が必然的に設けられることになる。このため、フィルム上の画像およびＤＸコードの両方を読み取る場合のＣＣＤラインセンサでの画像読取範囲が大きくなってしまう。そして、ＣＣＤラインセンサの画像読取範囲内の画素数が増加すると、それに伴ってＣＣＤラインセンサから出力されるデータ数も増加するので、データ処理時間が長くなってしまう。特に、高解像度の画像を得る場合には、パーフォレーションを通過した光を受光する不必要な画素数が著しく増加するため、ＣＣＤラインセンサでのデータ処理時間の増加が顕著に現れる。
【０００９】
そこで、本発明の主な目的は、撮像素子における画像読取範囲を小さくすることによって、撮像素子から出力されるデータについてのデータ処理時間を短くすることができるスキャナを提供することである。
【００１０】
【課題を解決するための手段】
上記目的を達成するために、請求項１のスキャナは、画像が表示された画像エリアと画像情報が表示された画像情報エリアとが離隔して配置された画像表示媒体に対して光を照射する光源と、複数の光電変換部を含む撮像素子と、前記画像エリアにおいて透過または反射した光を受光する前記撮像素子上の領域及び前記画像情報エリアにおいて透過または反射した光を受光する前記撮像素子上の領域の少なくともいずれか一方を他方に近づく方向にずらすための光学部材とを備えていることを特徴とするものである。
【００１１】
請求項１によると、画像エリアにおいて透過または反射した光を受光する撮像素子上の領域と画像情報エリアにおいて透過または反射した光を受光する撮像素子上の領域との距離が、光学部材が備えられていない場合よりも小さくなる。そのため、これらの領域間に設けられる不必要な光電変換部の数が少なくなる。その結果、撮像素子上で光を受光する光電変換部の数を少なくすることができるので、撮像素子において画像を読み取る範囲を小さくすることができる。従って、撮像素子から出力されるデータ量が少なくなるので、データ処理時間を短縮することができる。
【００１２】
また、請求項２のスキャナは、前記光学部材は、前記画像エリアにおいて透過または反射した光を受光する前記撮像素子上の領域と前記画像情報エリアにおいて透過または反射した光を受光する前記撮像素子上の領域との間に隙間が形成されないように、前記画像エリアにおいて透過または反射した光を受光する前記撮像素子上の領域及ぴ前記画像情報エリアにおいて透過または反射した光を受光する前記撮像素子上の領域の少なくともいずれか一方を他方に近づく方向にずらすことを特徴とするものである。
【００１３】
請求項２によると、画像エリアにおいて透過または反射した光を受光する撮像素子上の領域と画像情報エリアにおいて透過または反射した光を受光する撮像素子上の領域とが隙間なく配置される。そのため、これらの領域間に不必要な光電変換部が設けられなくなるので、撮像素子において画像を読み取る範囲をさらに小さくすることができる。従って、撮像素子から出力されるデータ量がより少なくなるので、データ処理時間をさらに短縮することができる。
【００１４】
また、請求項３のスキャナは、画像表示媒体において透過または反射した光を前記撮像素子上に結像するための結像光学素子をさらに備えていることを特徴とするものである。
【００１５】
請求項３によると、光源として、光の照射範囲の広いものを用いた場合でも、画像表示媒体において透過または反射した光を撮像素子上に適正に結像させることができる。
【００１６】
また、請求項４のスキャナは、前記光学部材が、屈折光学素子であることを特徴とするものである。
【００１７】
請求項４によると、画像エリアにおいて透過または反射した光を受光する撮像素子上の領域及ぴ画像情報エリアにおいて透過または反射した光を受光する撮像素子上の領域の少なくともいずれか一方を他方に近づく方向にずらすための構造が簡略化される。
【００１８】
また、請求項５のスキャナは、前記屈折光学素子が、前記画像情報エリアにおいて透過または反射した光を受光する前記撮像素子上の領域を、前記画像エリアにおいて透過または反射した光を受光する前記撮像素子上の領域に近づく方向にずらすことを特徴とするものである。
【００１９】
請求項５によると、画像情報エリアが画像エリアよりも小さい場合に、光学部材として比較的小型の結像光学素子を用いることができる。従って、スキャナを小型化することができる。
【００２０】
また、請求項６のスキャナは、前記光学部材が、結像光学素子であることを特徴とするものである。
【００２１】
請求項６によると、画像エリアにおいて透過または反射した光を受光する撮像素子上の領域及び画像情報エリアにおいて透過または反射した光を受光する撮像素子上の領域の少なくともいずれか一方を他方に近づく方向にずらすための構造が簡略化される。
【００２２】
また、請求項７のスキャナは、画像表示媒体が、透光性を有し且つ開口エリアが設けられたものであって、開口エリアにおいて透過した光の強度を低下させるための減光部材または遮光部材をさらに備えていることを特徴とするものである。
【００２３】
請求項７によると、透光性の画像表示媒体に開口エリアが設けられている場合であっても、減光部材または遮光部材によって開口エリアを通過する光の強度が低下させられる（遮光される場合を含む）ため、開口エリアを通過する光が直接（その強度が低下することなく）撮像素子に到達するのを防止することができる。従って、撮像素子の各光電変換部において電荷がオーバーフローしなくなるため、画像表示媒体上の画像および画像情報を適正に読み取ることが可能となる。
【００２４】
また、請求項８のスキャナは、フィルムスキャナであることを特徴とするものである。
【００２５】
請求項８によると、フィルム上の画像および画像情報を読み取る際のデータ処理時間を短縮することができる。
【００２６】
【発明の実施の形態】
以下、本発明の好適な実施の形態について、図面を参照しつつ説明する。図１は、第１の実施の形態に係るフィルムスキャナを含む写真処理装置の概略構成を示す図である。
【００２７】
図１に示す写真処理装置１は、レーザビームによるデジタル走査露光方式が採用された写真処理装置であって、フィルムスキャナ２０と、プリンタ部３０と、プロセッサ部４０と、仕上げ処理部５０とを具備している。また、写真処理装置１には、ペーパーマガジン３１、３２が装填されており、それらに収納されている長尺の印画紙２は、図１において１点鎖線で示した経路１８に沿って、後述するカッター３４まで搬送される。そして、カッター３４で幅方向に沿って所定長さに切断された印画紙２は、経路１８に沿って、プリンタ部３０からプロセッサ部４０を経て仕上げ処理部５０へと搬送される。
【００２８】
フィルムスキャナ２０では、主にフィルムの各コマに表示された画像の読み取り処理および読み取られた画像データに対してディジタル変換などの各種処理が行われる。そして、フィルムスキャナ２０で得られたディジタル画像データは、後述する制御ユニット１０に供給される。なお、フィルムスキャナ２０の詳細な構成については後述する。
【００２９】
プリンタ部３０では、主に感光媒体である印画紙２に対してディジタル画像データに基づく露光処理が施される。プリンタ部３０は、巻回された長尺の印画紙２をそれぞれ収納しており且つ選択的に使用される２つのペーパーマガジン３１、３２と、ペーパーマガジン３１、３２から印画紙２を引き出すアドバンスユニット３３と、ペーパーマガジン３１、３２から引き出された所定幅を有する印画紙２を幅方向に沿ってプリントサイズに応じた所望の長さに切断するカッター３４と、印画紙２の感光乳剤層が形成されていない面（裏面）に所望の文字を印字するための印字ユニット３５と、所望の長さに切断された印画紙２を露光位置の前段にまで２〜３列で並列搬送するチャッカ３６と、印画紙２に露光処理を施すための露光ユニット３と、印画紙２を搬送するための複数のローラ対３７と、ローラ対３７を駆動するためのモータ３８とを有している。なお、複数のローラ対３７は、切断された印画紙２が脱落しないように、印画紙２が切断される可能性のある最も短い長さよりも短い間隔で配置されている。
【００３０】
プロセッサ部４０では、露光済みの印画紙２に対して現像、漂白定着、安定化などの処理が施される。プロセッサ部４０は、プリンタ部３０から供給された印画紙２に対して現像、漂白定着、安定化の各処理を施すための処理槽４１ａ〜４１ｆと、処理槽４１ａ〜４１ｆに蓄えられた処理液の廃液および補充液のタンク４２ａ〜４２ｄと、印画紙２を搬送するための複数のローラ対４３と、ローラ対４３を駆動するためのモータ（図示しない）とを具備している。
【００３１】
仕上げ処理部５０では、プロセッサ部４０から排出された画像が顕在化した印画紙２に対して乾燥処理が施され、さらに乾燥して排出口１９から排出された印画紙２がオーダーごとに仕分けられる。仕上げ処理部５０は、プロセッサ部４０から排出された印画紙２を迅速に乾燥させるためのヒータ５１と、排出口１９から排出された印画紙２を図１の紙面垂直方向に搬送するためのベルトコンベア５２と、印画紙２を搬送するための複数のローラ対５３と、ローラ対５３を駆動するためのモータ（図示しない）とを具備している。なお、複数のローラ対４３、５３も、複数のローラ対３７と同様に、切断された印画紙２が脱落しないように、印画紙２が切断される可能性のある最も短い長さよりも短い間隔で配置されている。
【００３２】
また、図１に示す写真処理装置１は、その各部の動作を制御する制御ユニット１０と、写真処理装置１に関する様々な情報を表示してオペレータに告知するディスプレイ２３と、写真処理装置１に対する入力操作を行うためのキーボード（図示しない）とを具備している。
【００３３】
次に、本実施の形態の写真処理装置１に含まれるフィルムスキャナ２０の詳細な構成について説明する。図２は、フィルムスキャナの概略構成を示す図である。図３は、フィルムスキャナの部分的な断面図である。図４は、通過孔形成ブロック近傍の部分的な斜視図である。図５は、通過孔形成ブロック近傍の部分的な上面図である。
【００３４】
フィルムスキャナ２０は、図２に示すように、照明光学系１１０と、撮像光学系１２０と、オートフィルムマスク（フィルムキャリア）１３０とを有している。
【００３５】
照明光学系１１０は、オートフィルムマスク１２０内を搬送されるフィルム１００に対して光を照射するためのものである。照明光学系１１０は、光源部１１１と、調光フィルタ１１２と、ミラートンネル１１３とを有している。光源部１１１は、例えばハロゲンランプであって、これから照射される光には、赤（Ｒ）、緑（Ｇ）、青（Ｂ）の３色のそれぞれに対応する波長領域の光が含まれている。調光フィルタ１１２は、光源部１１１からの光ビームの色分布を必要に応じて整えるためのものである。ミラートンネル１１３は、光源部１１１からの光ビームの強度分布を整えるためのものである。従って、光源部１１１により出射された光は、調光フィルタ１１２およびミラートンネル１１３によって、その色分布や強度分布が整えられた後で、フィルム１００に照射される。
【００３６】
撮像光学系１２０は、ズームレンズを含むレンズユニット１２１と、フィルム１００を透過した光を受光するＣＣＤラインセンサ１２２ａ、１２２ｂ、１２２ｃと、ＣＣＤラインセンサ１２２ａ〜１２２ｃから出力されたデータに対して各種処理を行うデータ処理部１２３とを有している。
【００３７】
レンズユニット１２１は、フィルム１００を透過した光をＣＣＤラインセンサ１２２ａ〜１２２ｃ上に結像するためのものである。なお、図２では、結像光学素子として機能するレンズユニット１２１として、１つのレンズだけが図示されているが、レンズユニット１２１は複数のレンズを含んでいてもよい。
【００３８】
ＣＣＤラインセンサ１２２ａ〜１２２ｃは、フィルム１００の搬送方向（図２に示される矢印方向であって、以下「副走査方向」と称する）に直交する方向（以下、「主走査方向」と称する）に沿って配置されたライン状のセンサである。ここで、ＣＣＤラインセンサ１２２ａ〜１２２ｃは、主走査方向つまりフィルム１００の幅方向と平行に配列される多数（本実施の形態ではＮ個）の画素（ピクセル）１２５（図９参照）を含んでいる。また、ＣＣＤラインセンサ１２２ａ〜１２２ｃは、副走査方向上流側から下流側に沿って互いに所定間隔だけ離隔して配置されている。
【００３９】
ＣＣＤラインセンサ１２２ａ〜１２２ｃの各撮像面には、Ｒ、Ｇ、Ｂの色分解フィルタのいずれかがそれぞれ取り付けられており、ＲＧＢの各色に対応するように割り当てられている。つまり、赤色に対応するＣＣＤラインセンサ１２２ａの撮像面にはフィルム１００を透過した光の赤色成分のみを通過させるカラーフィルタが、これと同様に、緑色に対応するＣＣＤラインセンサ１２２ｂの撮像面には緑色成分のみを通過させるカラーフィルタが、青色に対応するＣＣＤラインセンサ１２２ｃの撮像面には青色成分のみを通過させるカラーフィルタが取り付けられている。
【００４０】
データ処理部１２３は、各ＣＣＤラインセンサ１２２ａ〜１２２ｃの画素１２５から出力される各画素信号をサンプルホールドすることにより各画素信号を連続した画像信号とすると共に、この各画素信号を所定のビット数（例えば１２ビット）のデジタル信号に変換した後で、制御ユニット１０にデジタル画像データとして供給する。
【００４１】
オートフィルムマスク１３０は、照明光学系１１０と撮像光学系１２０との間に配置されており、フィルム１００に対する光の照射範囲を決定すると共に、ＣＣＤラインセンサ１２２ａ〜１２２ｃによるスキャニングのためにフィルム１００を副走査方向に一定速度で搬送するためのものである。
【００４２】
オートフィルムマスク１３０は、図３に示すように、搬送されるフィルム１００の下方に位置するベース部材１３１と、搬送されるフィルム１００の上方に位置するカバー部材１３２と、フィルム１００に搬送力を付与するフィルム搬送機構１３３とを有している。
【００４３】
ベース部材１３１とカバー部材１３２とは、両者の間でフィルム１００を支持するものである。そして、ベース部材１３１の照明光学系１１０の光軸Ｌ（図では一点鎖線で描かれている）に対応する位置には、通過孔形成ブロック１４０が設けられている。また、カバー部材１３２の照明光学系１１０の光軸Ｌに対応する位置には、ミラートンネル１１３を通過した光をフィルム面に導くように開口１３２ａが形成されている。
【００４４】
通過孔形成ブロック１４０は、照明光学系１１０から出射されてフィルム１００を透過した光をスリット光として撮像光学系１２０に導くためのものである。従って、通過孔形成ブロック１４０の照明光学系１１０の光軸Ｌに対応する位置には、図４および図５に示すように、主走査方向に沿って形成されたスリット状の主通過孔１４１および２つの副通過孔１４２が設けられている。なお、本実施の形態では、オートフィルムマスク１３０内のフィルム１００は、通過孔形成ブロック１４０の主通過孔１４１および２つの副通過孔１４２の上端部に当接するように搬送される。
【００４５】
主通過孔１４１は、通過孔形成ブロック１４０の幅方向中央部近傍に形成されており、１ｍｍ程度の幅（副走査方向に沿う長さ）を有している。また、主通過孔１４１は、フィルム１００の幅方向中央部近傍の画像が表示された領域である画像エリア１０１を透過した光が通過可能に設けられている。従って、主通過孔１４１の長さ（主走査方向に沿う長さ）は、フィルム１００の画像エリア１０１の幅とほぼ同じ長さ或いはそれよりも若干長くなっている。なお、主通過孔１４１の長さは、フィルム１００のパーフォレーション１０３には達しない値に設定されている。ここで、パーフォレーション１０３は、フィルム１００の幅方向両端部において、その長さ方向に沿って配列された複数の開口を含んでいる。
【００４６】
２つの副通過孔１４２は、いずれも主通過孔１４１とほぼ同じ幅を有しており、フィルム１００の幅方向両端部近傍のＤＸコードが表示された領域である画像情報エリア１０２、つまり、フィルム１００のパーフォレーション１０３の外側の領域を透過した光が通過可能に設けられている。従って、２つの副通過孔１４２は、主通過孔１４１の両側延長線上に主通過孔１４１を挟むように配置されている。また、２つの副通過孔１４２の長さは、主通過孔１４１よりも短く、フィルム１００の画像情報エリア１０２とほぼ同じ長さに設定されている。
【００４７】
このように、主通過孔１４１と２つの副通過孔１４２とは、パーフォレーション１０３の幅とほぼ同じ間隔だけ離隔して形成されている。そのため、通過孔形成ブロック１４０の主通過孔１４１と２つの副通過孔１４２との間には、隔壁１４５がそれぞれ存在する。なお、上述から分かるように、隔壁１４５は、フィルム１００のパーフォレーション１０３に対応するように設けられている。従って、フィルム１００のパーフォレーション１０３を通過した光は隔壁１４５によって遮光される。
【００４８】
フィルム１００の画像エリア１０１を透過した光は、主通過孔１４１を通過して撮像光学系１２０に導かれる。一方、フィルム１００の画像情報エリア１０２を透過した光は、副通過孔１４２を通過して撮像光学系１２０に導かれる。なお、上述のとおり、通過孔形成ブロック１４０の主通過孔１４１と副通過孔１４２との間は遮光されているので、フィルム１００のパーフォーレーション１０３を通過した光は、撮像光学系１２０に導かれることはない。従って、フィルム１００の画像エリア１０１および画像情報エリア１０２を透過した光だけがＣＣＤラインセンサ１２２ａ〜１２２ｃに到達して、フィルム１００のパーフォーレーション１０３を通過した光はＣＣＤラインセンサ１２２ａ〜１２２ｃに到達しない。
【００４９】
フィルム搬送機構１３３は、搬送ローラ対１３４、１３５と、ガイドローラ１３６、１３７と、押さえローラ１３８、１３９とを有している。
【００５０】
搬送ローラ対１３４、１３５は、ベース部材１３１の通過孔形成ブロック１４０よりも副走査方向上流側および副走査方向下流側にそれぞれ配置されている。ここで、搬送ローラ対１３４、１３５は、ベース部材１３１とカバー部材１３２とに分かれて配置された４つの搬送ローラ１３４ａ、１３５ａをそれぞれ有している。ここで、搬送ローラ１３４ａ、１３５ａは、いずれも略円盤状のローラであって、それらに嵌設するシャフト１３４ｂ、１３５ｂと共に、それらの軸周りに回転可能になっている。また、搬送ローラ１３４ａ、１３５ａは、フィルム１００の幅方向両端部近傍に対応するように配置されている。従って、搬送ローラ対１３４、１３５は、オートフィルムマスク１３０内を搬送されるフィルム１００の幅方向両端部近傍を挟持しつつ搬送することができる。なお、搬送ローラ対１３４、１３５は、それらに接続されたモータ（図示しない）により回転駆動される駆動ローラ対である。
【００５１】
ガイドローラ１３６、１３７は、フィルム１００の搬送面の上方側において、カバー部材１３２の開口１３２ａよりも副走査方向上流側および副走査方向下流側にそれぞれ配置されている。ここで、ガイドローラ１３６、１３７は、いずれも略円柱状のローラであって、フィルム１００の幅とほぼ同じ長さを有している。また、ガイドローラ１３６、１３７は、それらに嵌設するシャフト１３６ａ、１３７ａと共にそれらの軸周りに回転自在になっている。そして、ガイドローラ１３６、１３７の下端部がフィルム１００の搬送面とほぼ一致するように配置されている。従って、ガイドローラ１３６、１３７は、オートフィルムマスク１３０内を搬送されるフィルム１００の上面に当接することにより、フィルム１００の走行性を向上させることができる。
【００５２】
押さえローラ１３８、１３９は、フィルム１００の搬送面の下方側において、ベース部材１３１の通過孔形成ブロック１４０よりも副走査方向上流側および副走査方向下流側にそれぞれ配置されている。ここで、押さえローラ１３８、１３９は、いずれも略円形状のローラであって、フィルム１００の幅方向中心位置近傍に配置されている。また、押さえローラ１３８、１３９は、それらに嵌設するシャフト（図示しない）と共にそれらの軸周りに回転自在になっている。そして、押さえローラ１３８、１３９の上端部がフィルム１００の搬送面とほぼ一致するように配置されている。従って、押さえローラ１３８、１３９は、オートフィルムマスク１３０内を搬送されるフィルム１００の下面に当接することにより、フィルム１００の中央部近傍のそりを押さえ込むことができる。
【００５３】
また、図６は、図５のＶＩ−ＶＩ線における通過孔形成ブロックの断面図を示しており、図７は、図６で破線で描かれた丸枠内拡大図である。図８は、主通過孔および２つの副通過孔を通過した光の結像位置を示す図である。
【００５４】
通過孔形成ブロック１４０には、図６に示すように、２つの副通過孔１４２に対応するように２つのプリズム１５０がそれぞれ配置されている。プリズム１５０は、ＣＣＤラインセンサ１２２ａ〜１２２ｃ上における２つの副通過孔１４２を通過した光が結像される領域を変更するためのものである。本実施の形態では、プリズム１５０は、後述するように、ＣＣＤラインセンサ１２２ａ〜１２２ｃ上における画像エリア１０１を透過した光が結像される領域と画像情報エリア１０２を透過した光が結像される領域との間に隙間が形成されないように、画像情報エリア１０２を透過した光が結像される領域を、画像エリア１０１を透過した光が結像される領域に近づく方向にずらすように変更する。
【００５５】
プリズム１５０は、透明の光学プラスチックまたはガラスで成形された屈折光学素子であって、断面が多角形状に形成されている。また、プリズム１５０は、その上端部近傍が副通過孔１４２内に下方から嵌め込まれており、その下端部近傍は主走査方向に広がるように配置されている。
【００５６】
ここで、プリズム１５０は、図７に示すように、副通過孔１４２の上端部とほぼ同じ面上にある入射面１５１と、入射面１５１の下方において入射面１５１と対向する位置に配置された反射面１５２と、副通過孔１４２と主通過孔１４１との間において反射面１５２に対向する位置に配置された反射面１５３と、反射面１５３の下方において反射面１５３と対向する位置に配置された出射面１５４とを有している。なお、反射面１５２、１５３は、それぞれ水平面に対してα度、β度だけ傾斜するように設けられている。
【００５７】
従って、フィルム１００の画像情報エリア１０２を透過して、副通過孔１４２を通過した光は、光のプリズム１５０内における光路が破線で描かれている図７から分かるように、プリズム１５０内に入射面１５１から入射する。そして、入射面１５１から入射した光は、プリズム１５０内を直進して、反射面１５２において反射面１５３に向かう方向に反射される。その後、プリズム１５０内を直進して、反射面１５３において出射面１５４に向かう方向に反射されて、最終的に出射面１５４からＣＣＤラインセンサ１２２ａ〜１２２ｃに向かって出射される。
【００５８】
このように、副通過孔１４２を通過した光の光路は、プリズム１５０内を通過することによって、プリズム１５０が配置されていない場合の副通過孔１４２を通過した光の光路とは異なるように変更される。そして、プリズム１５０の出射面１５４から出射された光は、図８に示すように、レンズユニット１２１に入射することによって、ＣＣＤラインセンサ１２２ａ〜１２２ｃ上に結像される。ここで、プリズム１５０は、ＣＣＤラインセンサ１２２ａ〜１２２ｃ上における画像情報エリア１０２を透過した光が結像される領域を、画像エリア１０１を透過した光が結像される領域に近づく方向にずらす機能を有している。
【００５９】
次に、主通過孔１４１および２つの副通過孔１４２を通過した光と、それらの光を受光するＣＣＤラインセンサ１２２ａ〜１２２ｃの画素１２５との位置関係について、図９を参照して説明する。図９は、ＣＣＤラインセンサの画素の模式図である。図１０は、ＣＣＤラインセンサで読み取られる画像イメージを示す図である。
【００６０】
ここで、本実施の形態のＣＣＤラインセンサ１２２ａ〜１２２ｃは、上述したように、Ｎ個（但し、Ｎは整数）の画素１２５を含んでいる。そして、画像エリア１０１を透過し且つ主通過孔１４１を通過した光は、レンズユニット１２１を通過した後で、ＣＣＤラインセンサ１２２ａ〜１２２ｃの長さ方向中央部近傍のＮ１個の画素１２５によって受光される。一方、画像情報エリア１０２を透過し且つ２つの副通過孔１４２を通過した光は、レンズユニット１２１を通過した後で、ＣＣＤラインセンサ１２２ａ〜１２２ｃの長さ方向両端部近傍であって、画像エリア１０１に対応する光を受光するＮ１個の画素１２５に隣接するＮ２（＝（Ｎ−Ｎ１）／２）個の画素１２５によってそれぞれ受光される。
【００６１】
従って、ＣＣＤラインセンサ１２２ａ〜１２２ｃ上における画像エリア１０１を透過した光が結像される領域と、画像情報エリア１０２を透過した光が結像される領域とは隙間なく配置される。つまり、画像エリア１０１を透過した光を受光する画素１２５と、画像情報エリア１０２を透過した光を受光する画素１２５との間には、その他の画素は設けられない。ここで、ＣＣＤラインセンサ１２２ａ〜１２２ｃの画素１２５の全てで、主通過孔１４１を通過した光と２つの副通過孔１４２を通過した光を受光したことになる。
【００６２】
従って、フィルム１００上の画像およびＤＸコードがＣＣＤラインセンサ１２２ａ〜１２２ｃで読み取られる場合の画像イメージは、図１０に示すように、画像エリア１０１に対応する画像領域１０１ａの幅方向両端部には、画像情報エリア１０２に対応する画像情報領域１０２ａが隙間なく配置される。
【００６３】
なお、本実施の形態では、上述したように、ＣＣＤラインセンサ１２２ａ〜１２２ｃの画素１２５の全てが画像の読み取りに用いられるため、ＣＣＤラインセンサ１２２ａ〜１２２ｃに画像の読み取りに用いられない不必要な画素１２５が設けられている場合と比較して、ＣＣＤラインセンサ１２２ａ〜１２２ｃの長さを短くすることが可能となる。
【００６４】
また、上述したプリズム１５０の反射面１５２、１５３の水平面に対するそれぞれの角度α度、β度は、ＣＣＤラインセンサ１２２ａ〜１２２ｃにおける２つの副通過孔１４２をそれぞれ通過した光が結像される領域と主通過孔１４１を通過した光が結像される領域とが隙間なく隣接するように設定されている。
【００６５】
以上のように、本実施の形態に係るフィルムスキャナ２０においては、ＣＣＤラインセンサ１２２ａ〜１２２ｃ上における画像エリア１０１を透過した光が結像される領域と画像情報エリア１０２を透過した光が結像される領域とが隙間なく配置される。そのため、これらの領域間に不必要な画素１２５が設けられなくなるので、ＣＣＤラインセンサ１２２ａ〜１２２ｃでの画像読取範囲を小さくすることができる。つまり、ＣＣＤラインセンサ１２２ａ〜１２２ｃでの画像読取範囲内の画素１２５の数を少なくすることができる。従って、ＣＣＤラインセンサ１２２ａ〜１２２ｃから出力されるデータ量が少なくなるので、データ処理時間をより効果的に短縮することができる。その結果、フィルム１００上の画像および画像情報を読み取る際のデータ処理時間を短縮することができる。
【００６６】
また、画像情報エリア１０２を透過し且つ副通過孔１４２を通過した光のＣＣＤラインセンサ１２２ａ〜１２２ｃ上での結像位置をずらす光学素子として、屈折光学素子であるプリズム１５０が用いられているため、フィルムスキャナ２０の構造を簡略化することができる。
【００６７】
また、画像情報エリア１０２を透過した光が結像される領域を画像エリア１０１を透過した光が結像される領域に近づく方向にずらす構成であるため、画像情報エリア１０２が画像エリア１０１よりも小さい場合に、光学部材として比較的小型のプリズム１５０を用いられるので、フィルムスキャナ２０を小型化することができる。
【００６８】
また、フィルム１００がパーフォレーション１０３を有している場合であっても、隔壁１４５によってパーフォレーション１０３を通過した光が遮光されるため、パーフォレーション１０３を通過する光がＣＣＤラインセンサ１２２ａ〜１２２ｃに到達するのを防止することができる。従って、ＣＣＤラインセンサ１２２ａ〜１２２ｃの各画素１２５における電荷がオーバーフローしなくなるため、フィルム１００上の画像および画像情報を適正に読み取ることが可能となる。
【００６９】
また、フィルム１００とＣＣＤラインセンサ１２２ａ〜１２２ｃとの間に、レンズユニット１２１が配置されているため、光源部１１１として例えばハロゲンランプが用いられた場合でも、フィルム１００の画像エリア１０１および画像情報エリア１０２を透過した光をＣＣＤラインセンサ１２２ａ〜１２２ｃ上に適正に結像させることができる。
【００７０】
次に、第２の実施の形態に係るフィルムスキャナについて、図１１を参照して説明する。図１１は、第２の実施の形態のフィルムスキャナにおける主通過孔および２つの副通過孔を通過した光の光路を示している。
【００７１】
本実施の形態のフィルムスキャナ２２０が、第１の実施の形態のフィルムスキャナ２０と異なる点は、フィルムスキャナ２０では、プリズム１５０によって副通過孔１４２を通過した光の結像位置が変更されているのに対して、フィルムスキャナ２２０では、レンズ２５１、２５２によって副通過孔１４２を通過した光の結像位置が変更されている点である。なお、フィルムスキャナ２２０のその他の構成はフィルムスキャナ２０と同様であるので、同一符号を付して詳細な説明は省略する。
【００７２】
フィルムスキャナ２２０のレンズユニット２２１は、画像エリア１０１を透過し且つ主通過孔１４１を通過した光をＣＣＤラインセンサ１２２ａ〜１２２ｃ上に結像するためのレンズ２５０と、画像情報エリア１０２を透過し且つ２つの副通過孔１４２をそれぞれ通過した光をＣＣＤラインセンサ１２２ａ〜１２２ｃ上に結像するための２つのレンズ２５１とを有している。
【００７３】
レンズ２５０および２つのレンズ２５１は、いずれも結像光学素子である。また、レンズ２５０および２つのレンズ２５１は、光軸Ｌと直交する方向に沿って一列に配列されており、２つのレンズ２５１がレンズ２５０を挟むように配置されている。従って、主通過孔１４１および２つの副通過孔１４２の配列方向とレンズ２５０および２つのレンズ２５１の配列方向とは、ほぼ平行になっている。
【００７４】
ここで、２つのレンズ２５１は、ＣＣＤラインセンサ１２２ａ〜１２２上における画像情報エリア１０２を透過した光が結像される領域を、画像エリア１０１を透過した光が結像される領域に近づく方向にずらす機能を有している。
【００７５】
従って、第１の実施の形態と同様（図９参照）に、画像エリア１０１を透過し且つ主通過孔１４１を通過した光は、レンズ２５０を通過した後で、ＣＣＤラインセンサ１２２ａ〜１２２ｃの長さ方向中央部近傍のＮ１個の画素１２５によって受光される。一方、画像情報エリア１０２を透過し且つ２つの副通過孔１４２を通過した光は、レンズ２５１を通過した後で、ＣＣＤラインセンサ１２２ａ〜１２２ｃの長さ方向両端部近傍であって、画像エリア１０１に対応する光を受光するＮ１個の画素１２５に隣接するＮ２個の画素１２５によってそれぞれ受光される。
【００７６】
従って、本実施の形態においても、ＣＣＤラインセンサ１２２ａ〜１２２ｃ上における画像エリア１０１を透過した光が結像される領域と、画像情報エリア１０２を透過した光が結像される領域とは隙間なく配置される。つまり、画像エリア１０１を透過した光を受光する画素１２５と、画像情報エリア１０２を透過した光を受光する画像１２５との間には、その他の画素は設けられない。
【００７７】
以上のように、本実施の形態に係るフィルムスキャナ２２０においても、第１の実施の形態のフィルムスキャナ２０と同様の効果を得ることができる。
【００７８】
次に、第３の実施の形態に係るフィルムスキャナについて、図１２を参照して説明する。図１２は、第３の実施の形態のフィルムスキャナにおける通過孔形成ブロックの断面図を示している。
【００７９】
本実施の形態のフィルムスキャナが、第１の実施の形態のフィルムスキャナ２０と異なる点は、フィルムスキャナ２０では、プリズム１５０によって副通過孔１４２を通過した光の結像位置が変更されているのに対して、本実施の形態のフィルムスキャナでは、光学反射ミラー３５０によって副通過孔１４２を通過した光の結像位置が変更されている点である。なお、本実施の形態のフィルムスキャナのその他の構成はフィルムスキャナ２０と同様であるので、同一符号を付して詳細な説明は省略する。
【００８０】
光学反射ミラー３５０は、図１２に示すように、第１の実施の形態のプリズム１５０と同様の形状を有し、且つ、プリズム１５０の反射面１５２、１５３に対応するように反射面３５２、３５３を有している。従って、光学反射ミラー３５０は、ＣＣＤラインセンサ１２２ａ〜１２２ｃ上における画像情報エリア１０２を透過した光が結像される領域を、画像エリア１０１を透過した光が結像される領域に近づく方向にずらす機能を有している。なお、光学反射ミラー３５０の反射面３５２、３５３は、その対応する面に光を反射可能な部材を蒸着させる等して形成することができる。
【００８１】
従って、本実施の形態においても、第１の実施の形態と同様に（図９参照）、ＣＣＤラインセンサ１２２ａ〜１２２ｃ上における画像エリア１０１を透過した光が結像される領域と、画像情報エリア１０２を透過した光が結像される領域とは隙間なく配置される。つまり、画像エリア１０１を透過した光を受光する画素１２５と、画像情報エリア１０２を透過した光を受光する画像１２５との間には、その他の画素は設けられない。
【００８２】
以上のように、本実施の形態に係るフィルムスキャナにおいても、第１の実施の形態のフィルムスキャナ２０と同様の効果を得ることができる。
【００８３】
次に、第４の実施の形態に係るフィルムスキャナについて、図１３を参照して説明する。図１３は、第４の実施の形態のフィルムスキャナにおける通過孔形成ブロックの断面図を示している。
【００８４】
本実施の形態のフィルムスキャナが、第１の実施の形態のフィルムスキャナ２０と異なる点は、フィルムスキャナ２０では、プリズム１５０によって副通過孔１４２を通過した光の結像位置が変更されているのに対して、本実施の形態のフィルムスキャナでは、光ファイバ（ファイバアレイ）４５０によって副通過孔１４２を通過した光の結像位置が変更されている点である。なお、本実施の形態のフィルムスキャナのその他の構成はフィルムスキャナ２０と同様であるので、同一符号を付して詳細な説明は省略する。
【００８５】
光ファイバ４５０は、図１３に示すように、副通過孔１４２に入射した光が、第１の実施の形態のプリズム１５０からの光の出射方向とほぼ同じ方向に出射されるような形状を有している。つまり、光ファイバ４５０の一端面は、副通過孔１４２内において上方を向いており、その他端面は、第１の実施の形態のプリズム１５０からの光の出射方向に垂直な面上において下方斜め方向を向くように配置されている。従って、光ファイバ４５０は、ＣＣＤラインセンサ１２２ａ〜１２２上における画像情報エリア１０２を透過した光が結像される領域を、画像エリア１０１を透過した光が結像される領域に近づく方向にずらす機能を有している。
【００８６】
従って、本実施の形態においても、第１の実施の形態と同様に（図９参照）、ＣＣＤラインセンサ１２２ａ〜１２２ｃ上における画像エリア１０１を透過した光が結像される領域と、画像情報エリア１０２を透過した光が結像される領域とは隙間なく配置される。つまり、画像エリア１０１を透過した光を受光する画素１２５と、画像情報エリア１０２を透過した光を受光する画像１２５との間には、その他の画素は設けられない。
【００８７】
以上のように、本実施の形態に係るフィルムスキャナにおいても、第１の実施の形態のフィルムスキャナ２０と同様の効果を得ることができる。
【００８８】
以上、本発明の好適な実施の形態について説明したが、本発明は上述の実施の形態に限られるものではなく、特許請求の範囲に記載した限りにおいて、様々な設計変更を行うことが可能なものである。例えば、上述の第１〜第４の実施の形態では、プリズム１５０、２つのレンズ２５１、光学反射ミラー３５０、光ファイバ４５０によって、ラインセンサ１２２ａ〜１２２ｃ上における画像情報エリア１０２を透過した光が結像される領域を、画像エリア１０１を透過した光が結像される領域に近づく方向にずらす場合について説明しているが、これに限らず、画像エリア１０１を透過した光が結像される領域を画像情報エリア１０２を透過した光が結像される領域に近づく方向にずらしてもよいし、画像エリア１０１を透過した光が結像される領域および画像情報エリア１０２を透過した光が結像される領域の両方を互いに他方に近づく方向にずらしてもよい。
【００８９】
また、上述の第１〜第４の実施の形態では、ラインセンサ１２２ａ〜１２２ｃ上における画像エリア１０１を透過した光が結像される領域と画像情報エリア１０２を透過した光が結像される領域とが隙間なく配置され、これらの領域間に不必要な画素１２５が設けられない場合について説明しているが、必ずしもこれらの領域が隙間なく配置される必要はない。従って、ラインセンサ１２２ａ〜１２２ｃ上における画像エリア１０１を透過した光が結像される領域と画像情報エリア１０２を透過した光が結像される領域とが近接して配置され、これらの領域間に不必要な画素１２５が設けられてもよい。
【００９０】
また、上述の第１、３、４の実施の形態では、副通過孔１４２を通過した光のＣＣＤラインセンサ１２２ａ〜１２２ｃ上での結像位置をずらす光学素子として、２つのプリズム１５０、２つの光学反射ミラー３５０、２つの光ファイバ４５０のいずれかが、２つの副通過孔１４２内の両方に配置されている場合について説明しているが、これに限らず、２つの副通過孔１４２内の一方にだけこれらの光学素子が配置されてもよい。また、これらの光学部材は、必ずしも副通過孔１４２内に配置される必要はなく、副通過孔１４２を通過した光の光路内に配置されていればよい。
【００９１】
また、上述の第２の実施の形態では、副通過孔１４２を通過した光のＣＣＤラインセンサ１２２ａ〜１２２ｃ上での結像位置をずらす光学素子として、２つのレンズ２５１がレンズ２５０に近接する位置に配置されている場合について説明しているが、必ずしもレンズ２５０に近接する位置に配置されている必要はない。
【００９２】
また、上述の第１〜第４の実施の形態では、光学部材として、プリズム１５０、レンズ２５１、光学反射ミラー３５０、光ファイバ４５０のいずれかが用いられているが、これらと同様の機能を有する光学部材であれば、その他の光学部材であってもよい。また、光学部材は、必ずしも屈折光学素子または結像光学素子である必要はない。
【００９３】
また、上述の第１〜第４の実施の形態では、フィルム１００の画像エリア１０１と画像情報エリア１０２との間にパーフォレーション１０３が形成されている場合について説明しているが、これに限らず、必ずしもパーフォレーションがフィルムに形成されていなくてもよい。
【００９４】
また、上述の第１〜第４の実施の形態では、フィルム１００のパーフォレーション１０３を通過した光が通過孔形成ブロック１４０の主通過孔１４１と副通過孔１４２との間の隔壁１４５によって遮光される場合、つまり、画像エリア１０１および画像情報エリア１０２を透過する光が通過するための主通過孔１４１および副通過孔１４２だけが通過孔形成ブロック１４０に形成されている場合について説明しているが、パーフォレーション１０３を通過した光は必ずしも遮光される必要はない。従って、画像エリア、パーフォレーションおよび画像情報エリアを透過する光の光路に対応する長さを有する１つの通過孔が通過孔形成ブロックに形成されていると共に、パーフォレーションを通過する光の光路内にその強度を低下させる減光フィルタが配置されていてもよい。なお、この場合には、ラインセンサ１２２ａ〜１２２ｃ上における画像情報エリア１０２を透過した光が結像される領域を、画像エリア１０１を透過した光が結像される領域に近づく方向にずらすことによって、画像情報エリア１０２を透過した光が結像される領域の全体またはその一部分が、パーフォレーション１０３を透過した光が結像される領域と重なってもよい。なお、減光フィルタの強度低下率は任意に変更することができ、フィルム１００のパーフォレーション１０３を通過した光を減光フィルタによって遮光してもよい。
【００９５】
また、上述の第１〜第４の実施の形態では、透光性を有するフィルム１００に表示された画像及び画像情報が、フィルム１００を透過する光を受光するＣＣＤラインセンサ１２２ａ〜１２２ｃによって読み取られる場合について説明しているが、これに限らず、例えば用紙などの透光性を有しない画像表示媒体に表示された画像及び画像情報が読み取られる場合でも、本実施の形態と同様の効果を得ることができる。なお、この場合には、透光性を有しない画像表示媒体の画像エリア及び画像情報エリアにおいて反射された光を、ＣＣＤラインセンサなどの撮像素子によって受光することにより画像及び画像情報を読み取ることができる。
【００９６】
また、上述の第１〜第４の実施の形態では、フィルム１００とＣＣＤラインセンサ１２２ａ〜１２２ｃとの間に、レンズユニット１２１が配置されている場合について説明しているが、必ずしもフィルムの画像エリアおよび画像情報エリアを透過した光をＣＣＤラインセンサ上に結像させるためのレンズユニットは配置されなくてもよい。ここで、光源として、例えば光の照射範囲が狭いものが用いられる場合には、レンズユニットを配置しなくても、フィルムの画像エリアおよび画像情報エリアを透過した光をＣＣＤラインセンサ上に適正に結像させることができる場合がある。
【００９７】
また、上述の第１〜第４の実施の形態では、フィルム１００に表示された画像を読み取るフィルムスキャナ２０について説明しているが、フィルムスキャナに限らず、フィルム以外のその他の画像表示媒体に表示された画像を読み取るスキャナであっても、本実施の形態と同様の効果を得ることができる。また、スキャナに対して固定配置された所定長さを有する画像表示媒体に表示された画像が読み取られる場合も同様である。
【００９８】
【発明の効果】
以上説明したように、請求項１によると、画像エリアにおいて透過または反射した光を受光する撮像素子上の領域と画像情報エリアにおいて透過または反射した光を受光する撮像素子上の領域との距離が、光学部材が備えられていない場合よりも小さくなる。そのため、これらの領域間に設けられる不必要な光電変換部の数が少なくなる。その結果、撮像素子上で光を受光する光電変換部の数を少なくすることができるので、撮像素子において画像を読み取る範囲を小さくすることができる。従って、撮像素子から出力されるデータ量が少なくなるので、データ処理時間を短縮することができる。
【００９９】
請求項２によると、画像エリアにおいて透過または反射した光を受光する撮像素子上の領域と画像情報エリアにおいて透過または反射した光を受光する撮像素子上の領域とが隙間なく配置される。そのため、これらの領域間に不必要な光電変換部が設けられなくなるので、撮像素子において画像を読み取る範囲をさらに小さくすることができる。従って、撮像素子から出力されるデータ量がより少なくなるので、データ処理時間をさらに短縮することができる。
【０１００】
請求項３によると、光源として、光の照射範囲の広いものを用いた場合でも、画像表示媒体において透過または反射した光を撮像素子上に適正に結像させることができる。
【０１０１】
請求項４によると、画像エリアにおいて透過または反射した光を受光する撮像素子上の領域及ぴ画像情報エリアにおいて透過または反射した光を受光する撮像素子上の領域の少なくともいずれか一方を他方に近づく方向にずらすための構造が簡略化される。
【０１０２】
請求項５によると、画像情報エリアが画像エリアよりも小さい場合に、光学部材として比較的小型の結像光学素子を用いることができる。従って、スキャナを小型化することができる。
【０１０３】
請求項６によると、画像エリアにおいて透過または反射した光を受光する撮像素子上の領域及び画像情報エリアにおいて透過または反射した光を受光する撮像素子上の領域の少なくともいずれか一方を他方に近づく方向にずらすための構造が簡略化される。
【０１０４】
請求項７によると、透光性の画像表示媒体に開口エリアが設けられている場合であっても、減光部材または遮光部材によって開口エリアを通過する光の強度が低下させられる（遮光される場合を含む）ため、開口エリアを通過する光が直接（その強度が低下することなく）撮像素子に到達するのを防止することができる。従って、撮像素子の各光電変換部において電荷がオーバーフローしなくなるため、画像表示媒体上の画像および画像情報を適正に読み取ることが可能となる。
【０１０５】
請求項８によると、フィルム上の画像および画像情報を読み取る際のデータ処理時間を短縮することができる。
【図面の簡単な説明】
【図１】第１の実施の形態に係るフィルムスキャナを含む写真処理装置の概略構成を示す図である。
【図２】フィルムスキャナの概略構成を示す図である。
【図３】フィルムスキャナの部分的な断面図である。
【図４】通過孔形成ブロック近傍の部分的な斜視図である。
【図５】通過孔形成ブロック近傍の部分的な上面図である。
【図６】図５のＶＩ−ＶＩ線における通過孔形成ブロックの断面図を示す図である。
【図７】図６で破線で描かれた丸枠内拡大図である。
【図８】主通過孔および２つの副通過孔を通過した光の光路を示している。
【図９】ＣＣＤラインセンサの画素の模式図である。
【図１０】ＣＣＤラインセンサで読み取られる画像イメージを示す図である。
【図１１】第２の実施の形態のフィルムスキャナにおける主通過孔および２つの副通過孔を通過した光の光路を示している。
【図１２】第３の実施の形態のフィルムスキャナにおける通過孔形成ブロックの断面図を示している。
【図１３】第４の実施の形態のフィルムスキャナにおける通過孔形成ブロックの断面図を示している。
【符号の説明】
１  写真処理装置
２０、２２０  フィルムスキャナ
１００  フィルム（画像表示媒体）
１０１  画像エリア
１０２  画像情報エリア
１０３  パーフォレーション（開口エリア）
１１１  光源部
１２１  レンズユニット（結像光学素子）
１２２ａ〜１２２ｃ  ＣＣＤラインセンサ（撮像素子）
１２５  画素（光電変換部）
１３３  フィルム搬送機構（搬送手段）
１４０  通過孔形成ブロック
１４１  主通過孔
１４２    副通過孔
１４５    隔壁（減光部材）
１５０  プリズム（光学部材；屈折光学素子）
２５０  レンズ（結像光学素子）
２５１  レンズ（光学部材；結像光学素子）
３５０  光学反射ミラー（光学部材；屈折光学素子）
４５０  光ファイバ（光学部材；屈折光学素子）
【図１】
2004242163.tif 000003
【図２】
2004242163.tif 000004
【図３】
2004242163.tif 000005
【図４】
2004242163.tif 000006
【図５】
2004242163.tif 000007
【図６】
2004242163.tif 000008
【図７】
2004242163.tif 000009
【図８】
2004242163.tif 000010
【図９】
2004242163.tif 000011
【図１０】
2004242163.tif 000012
【図１１】
2004242163.tif 000013
【図１２】
2004242163.tif 000014
【図１３】
2004242163.tif 000015